(57)【要約】【課題】繰出式のタッチペンにおいて、入力部分の繰出操作が支障なく行われつつ、入力部分が露出した際の導電経路も確立できるような構造を提供する。【解決手段】少なくとも表面が導電性を有する入力部分71と、前記入力部分71を収容するとともに少なくとも表面が導電性を有する軸筒20と、前記軸筒20に対して前記入力部分71を出没可能に前後方向へ移動させるための機構である繰出機構30と、前記繰出機構30の操作により前記入力部分71が前記軸筒20の先端開口部22から露出した状態において同入力部分71の外周面と同軸筒20における同先端開口部20付近の内周面との両方に接触する導電性の仲介部材80と、を備える静電容量型タッチペン10。【選択図】図４
2014170365.tif 000002
【特許請求の範囲】
【請求項１】
少なくとも表面が導電性を有する入力部分と、
前記入力部分を収容するとともに少なくとも表面が導電性を有する軸筒と、
前記軸筒に対して前記入力部分を出没可能に前後方向へ移動させるための機構である繰出機構と、
前記繰出機構の操作により前記入力部分が前記軸筒の先端開口部から露出した状態において同入力部分の外周面と同軸筒における同先端開口部付近の内周面との両方に接触する導電性の仲介部材と、
を備えることを特徴とする静電容量型タッチペン。
【請求項２】
前記仲介部材は、
先端側に位置する環状の先端リングと、
後端側に位置する環状の後端リングと、
前記先端リングと前記後端リングとの間を複数箇所で連結するとともに内方へ屈曲した板バネ部材と、
により構成されているとともに、
前記繰出機構の操作により前記入力部分が前記軸筒の先端開口部から露出した状態において、
前記先端リング及び前記後端リングの少なくとも一方は前記軸筒における前記先端開口部付近の内周面と接触し、かつ、
前記板バネ部材には前記入力部分が接触する
ことを特徴とする請求項1記載の静電容量型タッチペン。
【請求項３】
前記仲介部材は、前記先端リング及び前記後端リングの少なくとも一方を前記軸筒の前記先端開口部付近の内周面に接触させた状態で固定されていることを特徴とする請求項２記載の静電容量型タッチペン。
【請求項４】
前記仲介部材は、前記板バネ部材を前記入力部分に接触させた状態で固定され、同入力部材とともに前記繰出機構によって前後方向へ移動するように形成されていることを特徴とする請求項２記載の静電容量型タッチペン。
【発明の詳細な説明】
【技術分野】
【０００１】
本発明は、静電容量式のタッチパネルへの入力操作に用いられる静電容量型タッチペンに関する。
【背景技術】
【０００２】
現在、液晶パネルの表面に直接触れることによって操作可能な電子機器が種々提供されている。そのような液晶パネルはタッチパネルと称される。
タッチパネルの原理には様々なものがある。たとえば、液晶パネル表面に加えられた圧力を感知する、いわゆる感圧式と称されるものがある。また、手指などの導電体が液晶パネルに接触する際の、液晶パネル表面の静電容量の変化を感知する、いわゆる静電容量式と称されるものもある。いずれの方式の際にも、液晶パネル表面に直接手指を触れないで済むように、いわゆるタッチペンという道具を用いることがある。このようなタッチペンは通常、筆記具様の軸及び先端を有するものの、液晶パネルの破損を防ぐため、プラスチック等の比較的柔らかい材質で先端を丸めて形成されているものである。また、静電容量式のタッチパネルに用いるためのタッチペンの場合、手指への導電性が必要となることから、導電性の材質で形成する必要がある。
【０００３】
そこで、使い勝手のよいタッチペンが求められており、片手でのノック動作によって使用可能となる静電容量型タッチペンを備えた筆記具が開示されている（特許文献１）。
【先行技術文献】
【特許文献】
【０００４】
【特許文献１】特開２０１２−１５３０８７号公報
【発明の概要】
【発明が解決しようとする課題】
【０００５】
特許文献１記載の先行技術に係る筆記具においては、ノック操作のような繰出動作によって筆記先端と、後端に位置するタッチペンの入力部分とが同時に露出するものであった。そのため、繰出動作によって筆記先端を露出させた際には、使用意図の有無にかかわらずタッチペンの入力部分も露出してしまうものである。これにより、このような筆記具で筆記を行っている際に、露出している入力部分が偶然に傍らに置いてある情報端末のタッチパネルへ接触することによる誤入力や、それに伴う誤動作が生ずるおそれがある。そのためには、タッチペンの入力部分の露出はタッチペンとしての使用を明確に意識したうえでなされることが望ましい。
【０００６】
そのような手段の一つとして、たとえば繰出式のボールペンにおけるボールペンリフィルをタッチペンの入力部分に置き換えることが考えられる。このような繰出式でタッチペンの入力部分を軸筒内から出没させる場合、繰り出しの前後でこの入力部分の軸筒に対する位置に変化が生ずる。すなわち、繰出動作により軸筒から入力部分を突出させて使用する際には、入力部分の先端から、使用者の手指が把持している軸筒の表面へと至る導電経路が確立されていなければならない。
このとき、入力部分の先端付近が、軸筒先端のこの入力部分が出没する開口部の内周面に直に接するような構造としてタッチペンを設計することもできる。しかしこのような構造の場合、入力部分と開口部の内周面との摺動を繰り返すことにより入力部分及び軸筒のいずれか一方又は両方の損傷をもたらす懸念がある。
【０００７】
また、入力部分と開口部との間に若干の間隙を設け、入力部分の遊びによる傾きによっていずれかの一点で両者が接触することで導電経路を確保するようにすることもできる。しかしこのような構造では、両者の接点が不安定になるため、入力操作に支障を来すことも考えられる。
以上の問題点に鑑み、本発明は、繰出式のタッチペンにおいて、入力部分の繰出操作が支障なく行われつつ、入力部分が露出した際の導電経路も確立できるような構造を提供することを課題とする。
【課題を解決するための手段】
【０００８】
上記の課題に鑑み、本発明に係る静電容量型タッチペン10は、
少なくとも表面が導電性を有する入力部分71と、
前記入力部分71を収容するとともに少なくとも表面が導電性を有する軸筒20と、
前記軸筒20に対して前記入力部分71を出没可能に前後方向へ移動させるための機構である繰出機構30と、
前記繰出機構30の操作により前記入力部分71が前記軸筒20の先端開口部22から露出した状態において同入力部分71の外周面と同軸筒20における同先端開口部20付近の内周面との両方に接触する導電性の仲介部材80と、
を備えることを特徴とする。
【０００９】
本発明において「先端」とは、入力操作のためにタッチパネルへ接触することが想定されている部分の位置する側をいい、「後端」とはその反対側をいう。
ここで、「入力部分71」について「少なくとも表面が導電性を有する」とは、入力部分71の表面が導電性を有するように形成されていれば足りるという意味である。よって、入力部分71全体が導電性の材質で形成されていてもよいし、また、入力部分71は非導電性の材質で形成されていてもその表面が導電性の物質でコーティング又はメッキされていればよい。なお、この入力部分71を構成する導電性の物質としては、金属よりも、導電性の樹脂を用いることが望ましい。また、樹脂で形成された入力部分71の表面に導電性の繊維を静電植毛することとしてもよい。
【００１０】
また、「軸筒20」について「少なくとも表面が導電性を有する」とは、軸筒20の表面が導電性を有するように形成されていれば足りるという意味である。よって、軸筒20全体が導電性の材質で形成されていてもよいし、また、軸筒20は非導電性の材質で形成されていてもその表面が導電性の物質でコーティング又はメッキされていればよい。この軸筒を構成する導電性の物質としては、導電性の樹脂も用いることができるが、耐久性を考慮してアルミニウムやステンレス等の金属を用いることが望ましい。
「繰出機構30」とは、たとえば公知のノック機構や、あるいは、軸筒30を回転することによって前後に繰り出されるような機構を採用することができる。
【００１１】
「仲介部材80」とは、入力部分が軸筒20の先端開口部22から露出した状態において、入力部分71と軸筒20との導電経路を仲介する部材であり、やはり導電性の材質で形成されるものである。ここでこの仲介部材80を形成する導電性の材質としては、繰出機構30による繰出操作の反復にも耐え得るよう、真鍮やステンレス等の金属を用いることが望ましい。
このように構成することで、繰出機構30を操作して入力部分71を露出させれば、入力部分71の表面から、これに接触する仲介部材80を経て、軸筒20の表面まで導電経路が確立されることになる。この状態で軸筒20の表面を手指で把持し、入力部分71の先端を静電容量式のタッチパネルに接触させれば、手指による静電容量の変化がこの導電経路を介してタッチパネル表面にもたらされ、それによりタッチパネルの操作ができることとなる。
【００１２】
また、本発明においては、前記仲介部材80は、先端側に位置する環状の先端リング81と、後端側に位置する環状の後端リング82と、前記先端リング81と前記後端リング82との間を複数箇所で連結するとともに内方へ屈曲した板バネ部材83と、により構成されているとともに、
前記繰出機構30の操作により前記入力部分71が前記軸筒20の先端開口部22から露出した状態において、前記先端リング81及び前記後端リング82の少なくとも一方は前記軸筒20における前記先端開口部22付近の内周面と接触し、かつ、前記板バネ部材83には前記入力部分71が接触することが望ましい。
【００１３】
すなわち、前記先端リング81及び前記後端リング82の外径は、前記先端開口部22付近の内周面で接触する位置における内径と接触し得る程度に形成されている。
このように形成することで、前記入力部分71が露出した状態において、入力部分71の表面〜板バネ部材83〜先端リング81及び／又は後端リング82〜軸筒20の表面という導電経路が確立されることとなっている。また、このような板バネ構造を採用することで、露出した入力部材71が軸筒20に対してがたつくことも防止できて安定した入力操作が可能となるという副次的な作用も奏することとなっている。
なお、前記仲介部材80は、前記先端リング81及び前記後端リング82の少なくとも一方を前記軸筒20の前記先端開口部付近22の内周面に接触させた状態で固定されていることとしてもよい。すなわち、このように固定されている仲介部材80に対して、入力部材71が繰出操作により前方へ移動してきて、露出状態となった際にその表面が板バネ部材83と接触することになり、前記の導電経路が確立されることになる。
【００１４】
一方、前記仲介部材80は、前記板バネ部材83を前記入力部分71に接触させた状態で固定され、同入力部材71とともに前記繰出機構30によって前後方向へ移動するように形成されていることとしてもよい。すなわち、入力部材71が繰出操作により前方へ仲介部材80とともに前方へ移動してきて、露出状態となった際に、先端リング81及び／又は後端リング82が軸筒20の先端開口部22の内周面に接触することになり、その結果、前記と同様の導電経路が確立されることになる。
【発明の効果】
【００１５】
本発明は、上記のように構成されているので、繰出式のタッチペンにおいて、入力部分の繰出操作が支障なく行われつつ、入力部分が露出した際の導電経路も確立できるような構造が提供されることとなっている。
【図面の簡単な説明】
【００１６】
【図１】本発明の第１の実施の形態に係る静電容量型タッチペンの非使用状態を正面図（Ａ）及び正面断面図（Ｂ）で示したものである。
【図２】本発明の第１の実施の形態に係る静電容量型タッチペンの使用状態を正面図（Ａ）及び正面断面図（Ｂ）で示したものである。
【図３】本発明の第１の実施の形態で使用される仲介部材を斜視図で示す。
【図４】本発明の第１の実施の形態に係る静電容量型タッチペンの非使用状態（Ａ）及び使用状態（Ｂ）をそれぞれ先端拡大断面図で示したものである。
【図５】本発明の第２の実施の形態に係る静電容量型タッチペンの非使用状態を正面図（Ａ）及び正面断面図（Ｂ）で示したものである。
【図６】本発明の第２の実施の形態に係る静電容量型タッチペンの使用状態を正面図（Ａ）及び正面断面図（Ｂ）で示したものである。
【図７】本発明の第２の実施の形態に係る静電容量型タッチペンの使用状態を先端拡大断面図で示したものである。
【図８】本発明の第３の実施の形態に係る静電容量型タッチペンの非使用状態を正面図（Ａ）及び正面断面図（Ｂ）で示したものである。
【図９】本発明の第３の実施の形態に係る静電容量型タッチペンの使用状態を正面図（Ａ）及び正面断面図（Ｂ）で示したものである。
【図１０】本発明の第３の実施の形態に係る静電容量型タッチペンの非使用状態（Ａ）及び使用状態（Ｂ）をそれぞれ先端拡大断面図で示したものである。
【発明を実施するための形態】
【００１７】
（１）第１の実施の形態
本発明の第１の実施の形態を図面を参照しつつ説明する。
図１は、本発明の第１の実施の形態に係る静電容量型タッチペン10の非使用状態を正面図（Ａ）及び正面断面図（Ｂ）で示したものである。軸筒20は、後軸23に先軸21が螺着されて形成される。軸筒20は、先軸21及び後軸23ともにステンレス鋼製である。
軸筒20後端の後端開口部24からはノック部材40の後端部分が先端側に挿入されているノックボタン42が突出している。このノック部材40の前方の軸筒20内部に回転部材50が位置している。この回転部材50の軸心にはタッチペン装着孔52が設けられている。このタッチペン装着孔52には、先端に入力部分71を備えたタッチペン70の後端が圧入され固定されている。タッチペン70は、入力部分71を含め、カーボンブラックが添加されたプラスチックで形成され、全体として導電性を有することとなっている。この入力部分71は、先軸21先端の先端開口部22から出没自在である。
【００１８】
ノック部材40先端付近からは外方へ摺動突起41が６個等配されて突出している。回転部材50の後端側外側面には、軸心に沿った方向を長手方向として外方へ突出する摺動突条51（図２（Ｂ）参照）が３個等配されて突出している。
一方、後軸23において、先軸21のすぐ後方に当たる位置には、先端側からスプリング支持部材25が挿入されている。このスプリング支持部材25と回転部材50との間には、これらを離隔する方向へ付勢する復帰スプリング26が介装されることとなる。なお、軸筒20後端近傍の内側面に、カム機構60が設けられている。
上述のノック部材40、回転部材50、カム機構60及び復帰スプリング26によって繰出機構30が構成される。
【００１９】
また、先軸21内部の先端開口部22付近には、真鍮製の仲介部材80が装着されている。これについては後述する。
この図１（Ａ）に示す状態では、タッチペン70の入力部分71は軸筒20内部に没入しており、タッチペン70によるタッチパネルへの入力操作はできない。
この状態から、ノックボタン42を押圧すると、図２（Ａ）に示すように、先軸21の先端開口部22からタッチペン70の入力部分71が突出し、これによりタッチパネルへの入力操作ができる状態となる。
すなわち、ノックボタン42を押圧することにより、ノック部材40が先端方向へ移動し、それに伴い回転部材50も復帰スプリング26をスプリング支持部材25との間で圧縮させつつ先端方向へ移動する。このとき、ノック部材40の摺動突起41が回転部材50の摺動突条51をカム機構60の溝に沿って先端方向へ押圧する。そして、入力部分71が突出した状態で、摺動突条51はカム機構60と係合することで、この突出状態が維持される（図２（Ｂ））。
【００２０】
この状態から、再度ノックボタン42を押圧すると摺動突起41が再び摺動突条51を先端方向へ押圧し、これによりカム機構60との係合状態は解除される。そして復帰スプリング26の復元により、回転部材50は再び後方へ押圧され、それにより入力部分71は軸筒20内に没入する（図１）。
ここで再び、図２（Ｂ）における入力部分71の突出状態では、入力部分71は、先軸21内部の先端開口部24付近に装着されている仲介部材80と接触することになる。
仲介部材80は、図３に示すように、比較的小径の先端リング81と、比較的大径の後端リング82との間を、等配された6本の、内方へ撓んだ板バネ部材83が連結した形状を呈している。これらの先端リング81及び後端リング82の内径は入力部分71の外径より大きい。また、板バネ部材83が撓んだ位置における最少内径は、入力部分71の外径より僅かに小さい。
【００２１】
この仲介部材80が、図４（Ａ）に示すように、その先端リング81を先端開口部22の直後に接触させるようにして、先軸21内部に装着される。このとき、同図に示すように、先軸21内部に没入している入力部分71の先端は後端リング82の付近に位置している。この状態では入力部分71は仲介部材80には接触していない。
一方、図４（Ｂ）に示すように入力部分71が先軸21の先端開口部22から突出した状態では、入力部分71の側面が板バネ部材83と接触している。この状態で、入力部分81から、板バネ部材83、先端リング81及び先軸21を介して、後軸23まで至る導電経路が確立される。よって、後軸23（又は先軸21）を手指で把持した状態で、手指による静電容量の変化が、入力部分71の先端によってタッチパネルの表面にもたらされ、入力操作が可能となっている。
【００２２】
なお、このとき、入力部分71が板バネ部材83によって支持されることで、軸筒20に対するがたつきが抑制されている。
（２）第２の実施の形態
本発明の第２の実施の形態を図面を参照しつつ説明する。
第２の実施の形態では、静電容量型タッチペン10は、多機能筆記具11として実現されている。すなわち、図５（Ｂ）に示すように、タッチペン70は多機能筆記具11に収容される複数のリフィルのうちの１本となっている（なお、本実施の形態においては、タッチペン70以外のリフィルは省略されている。）。
【００２３】
軸筒20は、後軸23に先軸21が螺着されて形成される。軸筒20は、先軸21及び後軸23ともにステンレス鋼製である。
軸筒20後端付近の側面には、５本のスライド溝28が軸方向に沿って設けられている。このスライド溝28に沿って、５本のノック棒43が前後方向に摺動可能に設けられている。これらノック棒43のうち、１本の後端からはクリップ46が一旦外方へ突出し、そして先端方向へ延設されている。一方、その他４本のノック棒43の後端からは、ノックボタン42が外方へ突出している。
各ノック棒43の軸心部分には、後端付近で内方へ突出した係合突起44と、それよりやや先端寄りで内方へ突出した解除突起45とが設けられている。
【００２４】
また、各ノック棒43の先端には、リフィルが装着される。特に、クリップ46が形成されているノック棒43の先端には、リフィルとしてのタッチペン70が装着される。各リフィルは、後軸23内部に装着される、５個の孔が設けられたガイド部材27の、その各孔に挿通され、これに沿って前後方向に移動可能となっている。また、ガイド部材27と各ノック棒43との間には、(タッチペン70を含む）リフィルがその内部空間に挿通されるように、復帰スプリング26が介在している。
本実施の形態におけるタッチペン70は、ノック棒43に接続される管状部材72と、その先端に装着される継手73と、その先端に装着される入力部分71とで構成される。ここで、入力部分71の材質は前記第1の実施の形態におけるものと同様である。また、管状部材72はポリプロピレン製で可撓性を有している。継手73はそれよりは硬質なポリカーボネート製である。この入力部分71は、先軸21先端の先端開口部22から出没自在である。
【００２５】
上述のノック棒43及び復帰スプリング26によって繰出機構30が構成される。
また、先軸21内部の先端開口部22付近には、前記第1の実施の形態とほぼ同様な仲介部材80が装着されている。
この図５（Ａ）に示す状態では、タッチペン70の入力部分71は軸筒20内部に没入しており、タッチペン70によるタッチパネルへの入力操作はできない。
この状態から、クリップ46のついたノック棒43を先端方向へ押圧すると、図６（Ａ）に示すように、先軸21の先端開口部22からタッチペン70の入力部分71が突出し、これによりタッチパネルへの入力操作ができる状態となる。
【００２６】
すなわち、クリップ46を押圧することにより、ノック棒43が先端方向へ移動し、それに伴い復帰スプリング26をガイド部材27との間で圧縮させつつ、タッチペン70は管状部材72を撓ませながら、入力部分71は先軸21内面と摺動しつつ先端方向へ移動し、先端開口部22から突出する。このとき、ノック棒43の係合突起44が、他のノック棒43の解除突起45の先端側へ係合することで、入力部分71の突出状態が維持される（図６（Ｂ））。
この状態から、別のノック棒43を押圧すると、そのノック棒43の解除突起45が係合している係合突起44を外方へ押しやり、これによりこの係合突起44と解除突起45との係合状態は解除される。そして復帰スプリング26の復元により、そのノック棒43は再び後方へ押圧され、それにより入力部分71は軸筒20内に没入する（図５）。
【００２７】
ここで再び、図６（Ｂ）における入力部分71の突出状態では、入力部分は、先軸21内部の先端開口部24付近に装着されている仲介部材80と接触することになる。
仲介部材80は、図７に示すように、比較的小径の先端リング81と、比較的大径の後端リング82との間を、等配された6本の、内方へ撓んだ板バネ部材83が連結した形状を呈している。これらの先端リング81及び後端リング82の内径は入力部分71の外径より大きい。また、板バネ部材83が撓んだ位置における最少内径は、入力部分71の外径より僅かに小さい。
この仲介部材80が、図７に示すように、その先端リング81及び後端リング83を先端開口部22の直後に接触させるようにして、先軸21内部に装着される。そして、入力部分71が先軸21の先端開口部22から突出した状態では、入力部分71の側面が板バネ部材83と接触している。この状態で、入力部分81から、板バネ部材83、先端リング81及び先軸21を介して、後軸23まで至る導電経路が確立される。よって、後軸23（又は先軸21）を手指で把持した状態で、手指による静電容量の変化が、入力部分71の先端によってタッチパネルの表面にもたらされ、入力操作が可能となっている。
【００２８】
なお、このとき、入力部分71が板バネ部材83によって支持されることで、軸筒20に対するがたつきが抑制されている。
（３）第３の実施の形態
本発明の第３の実施の形態を図面を参照しつつ説明する。
図８は、本発明の第３の実施の形態に係る静電容量型タッチペン10の非使用状態を正面図（Ａ）及び正面断面図（Ｂ）で示したものである。軸筒20は、後軸23に先軸21が螺着されて形成される。軸筒20は、先軸21及び後軸23ともにステンレス鋼製である。
軸筒20後端の後端開口部24からはノック部材40の後端部分が先端側に挿入されているノックボタン42が突出している。このノック部材40の前方の軸筒20内部に回転部材50が位置している。この回転部材50の軸心にはタッチペン装着孔52が設けられている。このタッチペン装着孔52には、先端に入力部分71を備えたタッチペン70の後端が圧入され固定されている。タッチペン70は、入力部分71を含め、カーボンブラックが添加されたプラスチックで形成され、全体として導電性を有することとなっている。この入力部分71は、先軸21先端の先端開口部22から出没自在である。
【００２９】
ノック部材40先端付近からは外方へ摺動突起41が６個等配されて突出している。回転部材50の後端側外側面には、軸心に沿った方向を長手方向として外方へ突出する摺動突条51（図９（Ｂ）参照）が３個等配されて突出している。
一方、後軸23において、先軸21のすぐ後方に当たる位置には、先端側からスプリング支持部材25が挿入されている。このスプリング支持部材25と回転部材50との間には、これらを離隔する方向へ付勢する復帰スプリング26が介装されることとなる。なお、軸筒20後端近傍の内側面に、カム機構60が設けられている。
上述のノック部材40、回転部材50、カム機構60及び復帰スプリング26によって繰出機構30が構成される。
【００３０】
また、タッチペン70の入力部分71の根本部分には、カーボンブラックが添加されたアクリロニトリルブタジエンゴム（ＮＢＲ）製の円柱状の仲介部材80が外挿されている。これについては後述する。
この図８（Ａ）に示す状態では、タッチペン70の入力部分71は軸筒20内部に没入しており、タッチペン70によるタッチパネルへの入力操作はできない。
この状態から、ノックボタン42を押圧すると、図９（Ａ）に示すように、先軸21の先端開口部22からタッチペン70の入力部分71が突出し、これによりタッチパネルへの入力操作ができる状態となる。
【００３１】
すなわち、ノックボタン42を押圧することにより、ノック部材40が先端方向へ移動し、それに伴い回転部材50も復帰スプリング26をスプリング支持部材25との間で圧縮させつつ先端方向へ移動する。このとき、ノック部材40の摺動突起41が回転部材50の摺動突条51をカム機構60の溝に沿って先端方向へ押圧する。そして、入力部分71が突出した状態で、摺動突条51はカム機構60と係合することで、この突出状態が維持される（図９（Ｂ））。
この状態から、再度ノックボタン42を押圧すると摺動突起41が再び摺動突条51を先端方向へ押圧し、これによりカム機構60との係合状態は解除される。そして復帰スプリング26の復元により、回転部材50は再び後方へ押圧され、それにより入力部分71は軸筒20内に没入する（図８）。
【００３２】
ここで再び、図９（Ｂ）における入力部分71の突出状態では、入力部分71に外挿されている仲介部材80は、先軸21内部の先端開口部24付近の内周面と接触することになる（図１０（Ｂ）参照）。
仲介部材80は、先述のように、カーボンブラック添加ＮＢＲ製で、入力部分71の外径とほぼ等しい内径を有し、かつ、先軸21先端の内径とほぼ等しい外径を有する円柱状に形成されている。これにより、仲介部材10自体が導電性を有する。
この仲介部材80が、図１０（Ａ）に示すように、入力部分71の根本部分に外挿される。このとき、同図に示すように、この状態では仲介部材80は先軸21の内周面には接触していない。
【００３３】
一方、図１０（Ｂ）に示すように入力部分71が先軸21の先端開口部22から突出した状態では、仲介部材80の先端側の側面が先軸21の内周面と接触している。この状態で、入力部分81から、仲介部材80及び先軸21を介して、後軸23まで至る導電経路が確立される。よって、後軸23（又は先軸21）を手指で把持した状態で、手指による静電容量の変化が、入力部分71の先端によってタッチパネルの表面にもたらされ、入力操作が可能となっている。
なお、このとき、入力部分71が仲介部材80によって支持されることで、軸筒20に対するがたつきが抑制されている。
【産業上の利用可能性】
【００３４】
本発明は、本発明は、静電容量式のタッチパネルへの入力操作に用いられる静電容量型タッチペンに利用可能である。
【符号の説明】
【００３５】
10  静電容量型タッチペン  11  多機能筆記具
20  軸筒                  21  先軸                  22  先端開口部
23  後軸                  24  後端開口部            25  スプリング支持部材
26  復帰スプリング        27  ガイド部材            28  スライド溝
30  繰出機構  
40  ノック部材            41  摺動突起              42  ノックボタン
43  ノック棒              44  係合突起              45  解除突起
46  クリップ
50  回転部材              51  摺動突条              52  タッチペン装着孔
60  カム機構
70  タッチペン            71  入力部分              72  管状部材
73  継手
80  仲介部材              81  先端リング            82  後端リング
83  板バネ部材
【図３】
2014170365.tif 000003
【図１】
2014170365.tif 000004
【図２】
2014170365.tif 000005
【図４】
2014170365.tif 000006
【図５】
2014170365.tif 000007
【図６】
2014170365.tif 000008
【図７】
2014170365.tif 000009
【図８】
2014170365.tif 000010
【図９】
2014170365.tif 000011
【図１０】
2014170365.tif 000012